(57)【要約】【課題】基地局および隣接する基地局の電波送信出力を連動させて制御することにより、基地局の接続端末数を平均接続数未満に抑えたり、特定の基地局に集中したトラフィックを他の基地局に分散させたりすることができる送信出力制御装置を提供する。【解決手段】本発明の送信出力制御装置１００は、複数の基地局の電波送信出力を制御する制御部１１０と、複数の基地局のそれぞれから接続端末数を取得する取得部１２０と、複数の基地局のそれぞれに対応する所定接続数を記憶する記憶部１３０とを備え、制御部１１０は、取得部１２０によって取得された接続端末数および制御部１１０によって制御される基地局の数に基づいて１基地局あたりの平均接続端末数を算出し、接続端末数が平均接続端末数を超える基地局の電波送信出力を下げ、当該基地局に隣接し接続端末数が平均接続端末数を下回る基地局の電波送信出力を上げるように制御する。【選択図】図２
2010130222.tif 000002
【特許請求の範囲】
【請求項１】
複数の基地局の電波送信出力を制御する制御部と、
前記複数の基地局のそれぞれから接続端末数を取得する取得部と、
前記制御部によって制御される基地局の数を記憶する記憶部と、を備え、
前記制御部は、前記取得部によって取得された接続端末数および前記制御部によって制御される基地局の数に基づいて１基地局あたりの平均接続端末数を算出し、前記接続端末数が前記平均接続端末数を超える基地局の電波送信出力を下げるとともに、当該基地局に隣接し前記接続端末数が前記平均接続端末数を下回る基地局の電波送信出力を上げるように制御することを特徴とする送信出力制御装置。
【請求項２】
前記制御部は、前記基地局の前記接続端末数が前記平均接続端末数を超えている場合、前記取得部によって取得される前記接続端末数が前記平均接続端末数を下回るまで、当該基地局の電波送信出力を下げるように制御することを特徴とする請求項１に記載の送信出力制御装置。
【請求項３】
前記記憶部は、前記複数の基地局のそれぞれに対応する所定強度値を記憶し、
前記取得部は、前記制御部によって制御される基地局の前記接続端末数が前記平均接続端末数を超えた場合、当該基地局に接続されている端末から、当該端末が当該基地局から受信する電波の強度値を示す受信電波強度値を取得し、
前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする請求項１または２に記載の送信出力制御装置。
【請求項４】
前記制御部は、当該制御部によって制御される基地局の前記接続端末数が前記平均接続端末数を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記接続端末数が前記平均接続端末数を下回る場合および当該基地局に接続されている端末から取得された前記受信電波強度値が当該基地局に対応する前記所定強度値を下回る場合には当該基地局の電波送信出力を所定の出力レベル下げないように制御し、
前記取得部は、前記制御部によって電波送信出力が所定の出力レベル下げられる度に、当該基地局の前記接続端末数および前記受信電波強度値を取得することを特徴とする請求項３に記載の送信出力制御装置。
【請求項５】
複数の基地局の電波送信出力を制御する制御部と、
前記複数の基地局のそれぞれから接続端末数を取得する取得部と、
前記複数の基地局のそれぞれに対応する最大接続端末数を記憶する記憶部と、を備え、
前記制御部は、当該制御部によって制御される基地局毎に、前記最大接続端末数に対する前記接続端末数の比率を示す接続端末比率を算出し、前記接続端末比率および前記制御部によって制御される基地局の数に基づいて１基地局あたりの平均接続端末比率を算出するとともに、前記接続端末比率が前記平均接続端末比率を超える基地局の電波送信出力を下げるとともに、当該基地局に隣接し前記接続端末比率が前記平均接続端末比率を下回る基地局の電波送信出力を上げるように制御することを特徴とする送信出力制御装置。
【請求項６】
前記制御部は、前記基地局の前記接続端末比率が前記平均接続端末比率を超えている場合、前記接続端末比率が前記平均接続端末比率を下回るまで、当該基地局の電波送信出力を下げるように制御することを特徴とする請求項５に記載の送信出力制御装置。
【請求項７】
前記記憶部は、前記複数の基地局のそれぞれに対応する所定強度値を記憶し、
前記取得部は、前記制御部によって制御される基地局の前記接続端末比率が前記平均接続端末比率を超えた場合、当該基地局に接続されている端末から、当該端末が当該基地局から受信する電波の強度値を示す受信電波強度値を取得し、
前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする請求項５または６に記載の送信出力制御装置。
【請求項８】
前記制御部は、当該制御部によって制御される基地局の前記接続端末比率が前記平均接続端末比率を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記接続端末比率が前記平均接続端末比率を下回る場合および当該基地局に接続されている端末から取得された前記受信電波強度値が当該基地局に対応する前記所定強度値を下回る場合には当該基地局の電波送信出力を所定の出力レベル下げないように制御し、
前記取得部は、前記制御部によって電波送信出力が所定の出力レベル下げられる度に、当該基地局の前記接続端末数および前記受信電波強度値を取得することを特徴とする請求項７に記載の送信出力制御装置。
【請求項９】
複数の基地局の電波送信出力を制御する制御部と、
前記複数の基地局のそれぞれからトラフィック値を取得する取得部と、
前記制御部によって制御される基地局の数を記憶する記憶部と、を備え、
前記制御部は、前記取得部によって取得されたトラフィック値および前記制御部によって制御される基地局の数に基づいて１基地局あたりの平均トラフィック値を算出し、前記トラフィック値が前記平均トラフィック値を超える基地局の電波送信出力を下げるとともに、当該基地局に隣接し前記トラフィック値が前記平均トラフィック値を下回る基地局の電波送信出力を上げるように制御することを特徴とする送信出力制御装置。
【請求項１０】
前記制御部は、前記基地局の前記トラフィック値が前記平均トラフィック値を超えている場合、前記取得部によって取得される前記トラフィック値が前記平均トラフィック値を下回るまで、当該基地局の電波送信出力を下げるように制御することを特徴とする請求項９に記載の送信出力制御装置。
【請求項１１】
前記記憶部は、前記複数の基地局のそれぞれに対応する所定強度値を記憶し、
前記取得部は、前記制御部によって制御される基地局の前記トラフィック値が前記平均トラフィック値を超えた場合、当該基地局に接続されている端末から、当該端末が当該基地局から受信する電波の強度値を示す受信電波強度値を取得し、
前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする請求項９または１０に記載の送信出力制御装置。
【請求項１２】
前記制御部は、当該制御部によって制御される基地局の前記トラフィック値が前記平均トラフィック値を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記トラフィック値が前記平均トラフィック値を下回る場合および当該基地局に接続されている端末から取得された前記受信電波強度値が当該基地局に対応する前記所定強度値を下回る場合には当該基地局の電波送信出力を所定の出力レベル下げないように制御し、
前記取得部は、前記制御部によって電波送信出力が所定の出力レベル下げられる度に、当該基地局の前記トラフィック値および前記受信電波強度値を取得することを特徴とする請求項１１に記載の送信出力制御装置。
【請求項１３】
複数の基地局の電波送信出力を制御する制御部と、
前記複数の基地局のそれぞれからトラフィック値を取得する取得部と、
前記複数の基地局のそれぞれに対応する最大トラフィック値を記憶する記憶部と、を備え、
前記制御部は、当該制御部によって制御される基地局毎に、前記最大トラフィック値に対する前記トラフィック値の比率を示すトラフィック比率を算出し、前記トラフィック比率および前記制御部によって制御される基地局の数に基づいて１基地局あたりの平均トラフィック比率を算出するとともに、前記トラフィック比率が前記平均トラフィック比率を超える基地局の電波送信出力を下げるとともに、当該基地局に隣接し前記トラフィック比率が前記平均トラフィック比率を下回る基地局の電波送信出力を上げるように制御することを特徴とする送信出力制御装置。
【請求項１４】
前記制御部は、前記基地局の前記トラフィック比率が前記平均トラフィック比率を超えている場合、前記トラフィック比率が前記平均トラフィック比率を下回るまで、当該基地局の電波送信出力を下げるように制御することを特徴とする請求項１６に記載の送信出力制御装置。
【請求項１５】
前記記憶部は、前記複数の基地局のそれぞれに対応する所定強度値を記憶し、
前記取得部は、前記制御部によって制御される基地局の前記トラフィック比率が前記平均トラフィック比率を超えた場合、当該基地局に接続されている端末から、当該端末が当該基地局から受信する電波の強度値を示す受信電波強度値を取得し、
前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする請求項１３または１４に記載の送信出力制御装置。
【請求項１６】
前記制御部は、当該制御部によって制御される基地局の前記トラフィック比率が前記平均トラフィック比率を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記トラフィック比率が前記平均トラフィック比率を下回る場合および当該基地局に接続されている端末から取得された前記受信電波強度値が当該基地局に対応する前記所定強度値を下回る場合には当該基地局の電波送信出力を所定の出力レベル下げないように制御し、
前記取得部は、前記制御部によって電波送信出力が所定の出力レベル下げられる度に、当該基地局の前記トラフィック値および前記受信電波強度値を取得することを特徴とする請求項１５に記載の送信出力制御装置。
【発明の詳細な説明】
【技術分野】
【０００１】
本発明は、複数の基地局の電波送信出力を制御する送信出力制御装置に関するものである。
【背景技術】
【０００２】
近年、フェムトセルと呼ばれるカバー範囲が半径数十メートル程度の超小型携帯電話基地局が利用され始めている。フェムトセルは、地下などのマクロセルからの電波が届かない場所に設置されることが想定される。フェムトセルは、電話回線や光ファイバーなどの固定回線を介して交換機に接続される。フェムトセル１台の同時利用可能端末数は一般的に３台または４台である。オフィスや公共の場などの広いスペースや多人数が利用する場所においては、複数のフェムトセルを稼動させる状況が生じる。
ところで、基地局において、携帯端末における現在の受信品質を精度良く認識することを可能とすることによって、伝達効率を向上させることができるようにするものが知られている（特許文献１参照）。
【特許文献１】国際公開第２００２／０４１５３０号パンフレット
【発明の開示】
【発明が解決しようとする課題】
【０００３】
フェムトセルは、マクロセルに比べて最大接続可能端末数が少ないため、接続している端末の数が最大接続可能端末数に達しやすい。隣接する複数の基地局において、ある基地局の接続端末数が最大接続可能端末数に達している場合に隣接する基地局の接続端末数が最大接続可能端末数に達していない状況が生じ得る。また、ある基地局のトラフィック値が高い場合に隣接する基地局のトラフィック値が低いというアンバランスな状況も生じ得る。そのため、地下などのマクロセルからの電波が届かない場所においては、フェムトセル電波エリア内に端末が存在するにも拘わらず接続できない可能性が大きくなる。また、複数のフェムトセルが稼動する場所においては、特定のフェムトセルのみが多く利用される可能性もある。そのため、特定のフェムトセルのみのトラフィックが増大する問題が生じることがある。しかしながら、上述したような状況が生じないように基地局間で接続端末数やトラフィックの分散を促す制御は今まで行われていない。
特許文献１は、基地局および端末間の伝達効率を向上させているだけで、基地局に接続している端末数や基地局のトラフィックを制御するものではない。
【０００４】
本発明は、複数の基地局が存在する状況において、ある基地局およびそれに隣接する基地局の電波送信出力を連動させて制御することにより、各基地局に接続されている端末の数を平均化したり、特定の基地局に集中したトラフィックを他の基地局に分散させて各基地局のトラフィックを平均化したりすることができる送信出力制御装置を提供することを目的とする。
【課題を解決するための手段】
【０００５】
上記目的を達成するため、本発明の請求項１に係る送信出力制御装置は、複数の基地局の電波送信出力を制御する制御部と、前記複数の基地局のそれぞれから接続端末数を取得する取得部と、前記制御部によって制御される基地局の数を記憶する記憶部と、を備え、前記制御部は、前記取得部によって取得された接続端末数および前記制御部によって制御される基地局の数に基づいて１基地局あたりの平均接続端末数を算出し、前記接続端末数が前記平均接続端末数を超える基地局の電波送信出力を下げるとともに、当該基地局に隣接し前記接続端末数が前記平均接続端末数を下回る基地局の電波送信出力を上げるように制御することを特徴とする。
【０００６】
本発明の請求項２に係る送信出力制御装置は、前記制御部は、前記接続端末数が前記平均接続端末数を超えた基地局は、前記取得部によって取得される前記接続端末数が前記平均接続端末数を下回るまで、電波送信出力を下げるように制御することを特徴とする。
【０００７】
本発明の請求項３に係る送信出力制御装置は、前記記憶部は、前記複数の基地局のそれぞれに対応する所定強度値を記憶し、前記取得部は、前記制御部によって制御される基地局の前記接続端末数が前記平均接続端末数を超えた場合、当該基地局に接続されている端末から、当該端末が当該基地局から受信する電波の強度値を示す受信電波強度値を取得し、前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする。
【０００８】
本発明の請求項４に係る送信出力制御装置は、前記制御部は、当該制御部によって制御される基地局の前記接続端末数が前記平均接続端末数を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記接続端末数が前記平均接続端末数を下回る場合および当該基地局に接続されている端末から取得された前記受信電波強度値が当該基地局に対応する前記所定強度値を下回る場合には当該基地局の電波送信出力を所定の出力レベル下げないように制御し、前記取得部は、前記制御部によって電波送信出力が所定の出力レベル下げられる度に、当該基地局の前記接続端末数および前記受信電波強度値を取得することを特徴とする。
【０００９】
上記目的を達成するため、本発明の請求項５に係る送信出力制御装置は、複数の基地局の電波送信出力を制御する制御部と、前記複数の基地局のそれぞれから接続端末数を取得する取得部と、前記複数の基地局のそれぞれに対応する最大接続端末数を記憶する記憶部と、を備え、前記制御部は、当該制御部によって制御される基地局毎に、前記最大接続端末数に対する前記接続端末数の比率を示す接続端末比率を算出し、前記接続端末比率および前記制御部によって制御される基地局の数に基づいて１基地局あたりの平均接続端末比率を算出するとともに、前記接続端末比率が前記平均接続端末比率を超える基地局の電波送信出力を下げるとともに、当該基地局に隣接し前記接続端末比率が前記平均接続端末比率を下回る基地局の電波送信出力を上げるように制御することを特徴とする。
【００１０】
本発明の請求項６に係る送信出力制御装置は、前記制御部は、前記接続端末比率が前記平均接続端末比率を超えた基地局は、前記接続端末比率が前記平均接続端末比率を下回るまで、電波送信出力を下げるように制御することを特徴とする。
【００１１】
本発明の請求項７に係る送信出力制御装置は、前記記憶部は、前記複数の基地局のそれぞれに対応する所定強度値を記憶し、前記取得部は、前記制御部によって制御される基地局の前記接続端末比率が前記平均接続端末比率を超えた場合、当該基地局に接続されている端末から、当該端末が当該基地局から受信する電波の強度値を示す受信電波強度値を取得し、前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする。
【００１２】
本発明の請求項８に係る送信出力制御装置は、前記制御部は、当該制御部によって制御される基地局の前記接続端末比率が前記平均接続端末比率を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記接続端末比率が前記平均接続端末比率を下回る場合および当該基地局に接続されている端末から取得された前記受信電波強度値が当該基地局に対応する前記所定強度値を下回る場合には当該基地局の電波送信出力を所定の出力レベル下げないように制御し、前記取得部は、前記制御部によって電波送信出力が所定の出力レベル下げられる度に、当該基地局の前記接続端末数および前記受信電波強度値を取得することを特徴とする。
【００１３】
上記目的を達成するため、本発明の請求項９に係る送信出力制御装置は、複数の基地局の電波送信出力を制御する制御部と、前記複数の基地局のそれぞれからトラフィック値を取得する取得部と、前記制御部によって制御される基地局の数を記憶する記憶部と、を備え、前記制御部は、前記取得部によって取得されたトラフィック値および前記制御部によって制御される基地局の数に基づいて１基地局あたりの平均トラフィック値を算出し、前記トラフィック値が前記平均トラフィック値を超える基地局の電波送信出力を下げるとともに、当該基地局に隣接し前記トラフィック値が前記平均トラフィック値を下回る基地局の電波送信出力を上げるように制御することを特徴とする。
【００１４】
本発明の請求項１０に係る送信出力制御装置は、前記制御部は、前記トラフィック値が前記平均トラフィック値を超えた基地局は、前記取得部によって取得される前記トラフィック値が前記平均トラフィック値を下回るまで、電波送信出力を下げるように制御することを特徴とする。
【００１５】
本発明の請求項１１に係る送信出力制御装置は、前記記憶部は、前記複数の基地局のそれぞれに対応する所定強度値を記憶し、前記取得部は、前記制御部によって制御される基地局の前記トラフィック値が前記平均トラフィック値を超えた場合、当該基地局に接続されている端末から、当該端末が当該基地局から受信する電波の強度値を示す受信電波強度値を取得し、前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする。
【００１６】
本発明の請求項１２に係る送信出力制御装置は、前記制御部は、当該制御部によって制御される基地局の前記トラフィック値が前記平均トラフィック値を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記トラフィック値が前記平均トラフィック値を下回る場合および当該基地局に接続されている端末から取得された前記受信電波強度値が当該基地局に対応する前記所定強度値を下回る場合には当該基地局の電波送信出力を所定の出力レベル下げないように制御し、前記取得部は、前記制御部によって電波送信出力が所定の出力レベル下げられる度に、当該基地局の前記トラフィック値および前記受信電波強度値を取得することを特徴とする。
【００１７】
上記目的を達成するため、本発明の請求項１３に係る送信出力制御装置は、複数の基地局の電波送信出力を制御する制御部と、前記複数の基地局のそれぞれからトラフィック値を取得する取得部と、前記複数の基地局のそれぞれに対応する最大トラフィック値を記憶する記憶部と、を備え、前記制御部は、当該制御部によって制御される基地局毎に、前記最大トラフィック値に対する前記トラフィック値の比率を示すトラフィック比率を算出し、前記トラフィック比率および前記制御部によって制御される基地局の数に基づいて１基地局あたりの平均トラフィック比率を算出するとともに、前記トラフィック比率が前記平均トラフィック比率を超える基地局の電波送信出力を下げるとともに、当該基地局に隣接し前記トラフィック比率が前記平均トラフィック比率を下回る基地局の電波送信出力を上げるように制御することを特徴とする。
【００１８】
本発明の請求項１４に係る送信出力制御装置は、前記制御部は、前記トラフィック比率が前記平均トラフィック比率を超えた基地局は、前記トラフィック比率が前記平均トラフィック比率を下回るまで、電波送信出力を下げるように制御することを特徴とする。
【００１９】
本発明の請求項１５に係る送信出力制御装置は、前記記憶部は、前記複数の基地局のそれぞれに対応する所定強度値を記憶し、前記取得部は、前記制御部によって制御される基地局の前記トラフィック比率が前記平均トラフィック比率を超えた場合、当該基地局に接続されている端末から、当該端末が当該基地局から受信する電波の強度値を示す受信電波強度値を取得し、前記制御部は、当該基地局に接続されている端末から取得された前記受信電波強度値が前記制御部によって制御される基地局に対応する所定強度値を下回った場合に限り、当該基地局の電波送信出力を下げないように制御することを特徴とする。
【００２０】
本発明の請求項１６に係る送信出力制御装置は、前記制御部は、当該制御部によって制御される基地局の前記トラフィック比率が前記平均トラフィック比率を超えており、かつ、当該基地局に接続されている端末から取得された前記受信電波強度値が当該基地局に対応する前記所定強度値を超えている場合には当該基地局の電波送信出力を所定の出力レベル下げるとともに、当該制御部によって制御される基地局の前記トラフィック比率が前記平均トラフィック比率を下回る場合および当該基地局に接続されている端末から取得された前記受信電波強度値が当該基地局に対応する前記所定強度値を下回る場合には当該基地局の電波送信出力を所定の出力レベル下げないように制御し、前記取得部は、前記制御部によって電波送信出力が所定の出力レベル下げられる度に、当該基地局の前記トラフィック値および前記受信電波強度値を取得することを特徴とする。
【発明の効果】
【００２１】
本発明によれば、複数の基地局が存在する状況において、ある基地局およびそれに隣接する基地局の電波送信出力を連動させて制御することにより、各基地局に接続されている端末の数を平均化して、ある基地局からの電波が届く範囲内に存在する端末がその基地局に接続できる可能性を高くしたり、特定の基地局に集中したトラフィックを他の基地局に分散させて各基地局のトラフィックを平均化したりすることができる送信出力制御装置を提供することができる。
【発明を実施するための最良の形態】
【００２２】
以下、本発明を実施するための最良の形態を図面に基づき詳細に説明する。
図１は本発明の一実施形態に係る送信出力制御装置を含む通信システムの全体構成を示す図である。図１に示す通信システムは、複数の基地局２００（図１には、基地局２００−１および基地局２００−２を例示している）の電波送信出力（以下、送信出力ともいう）を制御する送信出力制御装置１００と、送信出力制御装置１００に接続されて送信出力を制御される複数の基地局２００（基地局２００−１および基地局２００−２）と、基地局２００−１の電波エリア内に存在する無線通信端末（以下、端末ともいう）３００ａ，３００ｂ，３００ｃと、基地局２００−２の電波エリア内に存在する端末３００ｄと、送信出力制御装置１００にインターネット４００を介して接続される携帯電話用ゲートウェイ５００および携帯電話用サーバ６００とから成る。基地局２００−１および基地局２００−２としては、例えばフェムトセルを用いることができる。携帯電話用ゲートウェイ５００は、インターネットと携帯電話の通信プロトコルを変換する装置である。携帯電話用サーバ６００は、携帯電話のデータを一括管理する装置である。なお、送信出力制御装置１００は、図１の場合は基地局から分離した状態で設置しているが、基地局と結合した状態で設置してもよい。また、送信出力制御装置１００は１台に限定されるものではなく、複数台設置してもよい。ただし、送信出力制御装置１００を複数台設置する場合には、それぞれの送信出力制御装置１００の間で情報のやり取りができるように構成する必要がある。
【００２３】
図２は本発明の送信出力制御装置１００の内部構成を示すブロック図である。送信出力制御装置１００は、図２に示すように、制御部１１０と、取得部１２０と、記憶部１３０と、通信部１４０とから成る。
【００２４】
制御部１１０は、複数の基地局（図１の場合、基地局２００−１および基地局２００−２）の電波送信出力を制御する機能を有している。また、制御部１１０は、取得部１２０によって取得された接続端末数および制御部１１０によって制御される基地局の数に基づいて１基地局あたりの平均接続端末数を算出し、接続端末数が平均接続端末数を超える基地局の電波送信出力を下げるとともに、当該基地局に隣接し接続端末数が平均接続端末数を下回る基地局の電波送信出力を上げるように制御する機能を有している。また、制御部１１０は、基地局の接続端末数が平均接続端末数を超えている場合、取得部１２０によって取得される接続端末数が平均接続端末数を下回るまで、当該基地局の電波送信出力を下げるように制御する機能を有している。また、制御部１１０は、当該基地局に接続されている端末から取得された受信電波強度値が制御部１１０によって制御される基地局に対応する所定強度値を下回った場合に限り、当該基地局の電波送信出力を下げないように制御する機能を有している。また、制御部１１０は、当該制御部によって制御される基地局の接続端末数が平均接続端末数を超えており、かつ、当該基地局に接続されている端末から取得された前記受信電波強度値が当該基地局に対応する所定強度値を超えている場合には当該基地局の電波送信出力を所定の出力レベル下げるとともに、当該制御部によって制御される基地局の接続端末数が平均接続端末数を下回る場合および当該基地局に接続されている端末から取得された受信電波強度値が当該基地局に対応する所定強度値を下回る場合には当該基地局の電波送信出力を所定の出力レベル下げないように制御する機能を有している。また、制御部１１０は、当該制御部によって制御される基地局毎に、最大接続端末数に対する接続端末数の比率を示す接続端末比率を算出し、接続端末比率および制御部１１０によって制御される基地局の数に基づいて１基地局あたりの平均接続端末比率を算出するとともに、接続端末比率が平均接続端末比率を超える基地局の電波送信出力を下げるとともに、当該基地局に隣接し接続端末比率が平均接続端末比率を下回る基地局の電波送信出力を上げるように制御する機能を有している。また、制御部１１０は、基地局の接続端末比率が平均接続端末比率を超えている場合、接続端末比率が平均接続端末比率を下回るまで、当該基地局の電波送信出力を下げるように制御する機能を有している。また、制御部１１０は、当該制御部によって制御される基地局の接続端末比率が平均接続端末比率を超えており、かつ、当該基地局に接続されている端末から取得された受信電波強度値が当該基地局に対応する前記所定強度値を超えている場合には当該基地局の電波送信出力を所定の出力レベル下げるとともに、当該制御部によって制御される基地局の接続端末比率が平均接続端末比率を下回る場合および当該基地局に接続されている端末から取得された受信電波強度値が当該基地局に対応する所定強度値を下回る場合には当該基地局の電波送信出力を所定の出力レベル下げないように制御する機能を有している。また、制御部１１０は、取得部１２０によって取得されたトラフィック値および制御部１１０によって制御される基地局の数に基づいて１基地局あたりの平均トラフィック値を算出し、トラフィック値が平均トラフィック値を超える基地局の電波送信出力を下げるとともに、当該基地局に隣接しトラフィック値が平均トラフィック値を下回る基地局の電波送信出力を上げるように制御する機能を有している。また、制御部１１０は、基地局のトラフィック値が平均トラフィック値を超えている場合、取得部１２０によって取得されるトラフィック値が平均トラフィック値を下回るまで、当該基地局の電波送信出力を下げるように制御する機能を有している。また、制御部１１０は、当該制御部によって制御される基地局のトラフィック値が平均トラフィック値を超えており、かつ、当該基地局に接続されている端末から取得された受信電波強度値が当該基地局に対応する所定強度値を超えている場合には当該基地局の電波送信出力を所定の出力レベル下げるとともに、当該制御部によって制御される基地局のトラフィック値が平均トラフィック値を下回る場合および当該基地局に接続されている端末から取得された受信電波強度値が当該基地局に対応する所定強度値を下回る場合には当該基地局の電波送信出力を所定の出力レベル下げないように制御する機能を有している。また、制御部１１０は、当該制御部によって制御される基地局毎に、最大トラフィック値に対するトラフィック値の比率を示すトラフィック比率を算出し、トラフィック比率および制御部１１０によって制御される基地局の数に基づいて１基地局あたりの平均トラフィック比率を算出するとともに、トラフィック比率が平均トラフィック比率を超える基地局の電波送信出力を下げるとともに、当該基地局に隣接しトラフィック比率が平均トラフィック比率を下回る基地局の電波送信出力を上げるように制御する機能を有している。また、制御部１１０は、基地局のトラフィック比率が平均トラフィック比率を超えている場合、トラフィック比率が平均トラフィック比率を下回るまで、当該基地局の電波送信出力を下げるように制御する機能を有している。また、制御部１１０は、当該制御部によって制御される基地局のトラフィック比率が平均トラフィック比率を超えており、かつ、当該基地局に接続されている端末から取得された受信電波強度値が当該基地局に対応する所定強度値を超えている場合には当該基地局の電波送信出力を所定の出力レベル下げるとともに、当該制御部によって制御される基地局のトラフィック比率が平均トラフィック比率を下回る場合および当該基地局に接続されている端末から取得された受信電波強度値が当該基地局に対応する所定強度値を下回る場合には当該基地局の電波送信出力を所定の出力レベル下げないように制御する機能を有している。
【００２５】
取得部１２０は、通信部１４０を介して、電波送信出力制御の対象とする基地局２００から、接続端末数情報、端末電波状況情報、トラフィック情報、基地局仕様情報などの情報を取得する機能を有している。また、取得部１２０は、制御部１１０によって制御される基地局の接続端末数が平均接続端末数を超えた場合、当該基地局に接続されている端末から、当該端末が当該基地局から受信する電波の強度値を示す受信電波強度値を取得する機能を有している。また、取得部１２０は、制御部１１０によって電波送信出力が所定の出力レベル下げられる度に、当該基地局の接続端末数および受信電波強度値を取得する機能を有している。また、取得部１２０は、制御部１１０によって制御される基地局の接続端末比率が平均接続端末比率を超えた場合、当該基地局に接続されている端末から、当該端末が当該基地局から受信する電波の強度値を示す受信電波強度値を取得する機能を有している。また、取得部１２０は、制御部１１０によって制御される基地局のトラフィック値が平均トラフィック値を超えた場合、当該基地局に接続されている端末から、当該端末が当該基地局から受信する電波の強度値を示す受信電波強度値を取得する機能を有している。また、取得部１２０は、制御部１１０によって電波送信出力が所定の出力レベル下げられる度に、当該基地局のトラフィック値および受信電波強度値を取得する機能を有している。また、取得部１２０は、制御部１１０によって制御される基地局のトラフィック比率が平均トラフィック比率を超えた場合、当該基地局に接続されている端末から、当該端末が当該基地局から受信する電波の強度値を示す受信電波強度値を取得する機能を有している。
【００２６】
トラフィック情報とは、基地局のトラフィック値（トラフィック値としては、ある期間における当該基地局のトラフィック平均値を用いる）を示す情報である。複数の端末が基地局に接続している場合、トラフィック情報にはそれぞれの端末がどれだけのトラフィックを発生させているかという情報も含まれている。接続端末数情報とは、基地局に接続している端末の数である接続端末数を示す情報である。端末電波状況情報とは、基地局に接続している端末が、当該基地局から受信する電波の状況（本実施形態では、受信する電波の強度値を示す受信電波強度値を用いる）を示す情報である。
【００２７】
記憶部１３０は、取得部１２０により取得した、トラフィック情報、接続端末数情報、端末電波状況情報などの情報を記憶する機能を有している。また、記憶部１３０は、制御部１１０によって制御される基地局の数（図１の場合、基地局２００−１および基地局２００−２であるため、２）を記憶する機能を有している。また、記憶部１３０は、複数の基地局（図１の場合、基地局２００−１および基地局２００−２）のそれぞれに対応する所定強度値を記憶する機能を有している。また、記憶部１３０は、複数の基地局（図１の場合、基地局２００−１および基地局２００−２）のそれぞれに対応する最大接続端末数を記憶する機能を有している。さらに、記憶部１３０は、複数の基地局（図１の場合、基地局２００−１および基地局２００−２）のそれぞれに対応する最大トラフィック値を記憶する機能を有している。なお、記憶部１３０は、基地局仕様情報を予め記憶しているものとする。基地局仕様情報とは、制御部１１０によって制御される基地局の最大接続端末数を示す情報と、電波送信出力に対して形成される電波エリアの状態を示す情報とを有している。この基地局仕様情報により、送信出力制御装置１００が制御対象とする基地局の数を把握して記憶部１３０に記憶することができる。
【００２８】
通信部１４０は、外部ネットワークと通信する機能を有している。通信部１４０には、１つ以上の基地局およびインターネットが接続可能である。
【００２９】
［基地局の送信出力制御１］
図３は本発明の送信出力制御装置１００において実行する基地局の送信出力制御１を示すフローチャートである。なお、以下においては、送信出力制御装置１００が制御対象とする複数の基地局が少なくとも２つの基地局であるものとして説明を展開する。
【００３０】
まず、図３のステップＳ１０１では、制御対象とする複数の基地局のそれぞれから接続している端末の数を示す接続端末数情報を取得する。次のステップＳ１０２では、制御対象とする複数の基地局のそれぞれから端末電波状況情報を取得し、その端末電波状況情報から各基地局に接続されている端末の受信電波強度値を取得する。次のステップＳ１０３では、取得した接続端末数情報に基づいて、接続端末数が平均接続端末数を超える基地局があるか否かを判断し、ある場合にはステップＳ１０４に進み、無い場合にはステップＳ１１１に進む。平均接続端末数とは、送信出力制御装置１００が制御対象とする全ての基地局に接続された端末数の合計を前記制御対象とする基地局の数で割った数であり、例えば２つの基地局に合計５台の端末が接続されている場合には、平均接続端末数は２．５となる。
【００３１】
ステップＳ１０４では、その基地局（ステップＳ１０３の条件を満たした基地局；平均接続端末数を超える基地局）に隣接し、接続端末数が平均接続端末数を下回る基地局があるか否かを判断し、ある場合にはステップＳ１０５に進み、無い場合にはステップＳ１１１に進む。ステップＳ１０５では、取得した端末電波状況情報に基づいて、その基地局（ステップＳ１０３の条件を満たした基地局）に接続されている端末の受信電波強度値が当該基地局に対応する所定強度値を下回ったか否かを判断し、受信電波強度値が所定強度値を下回った端末が無い場合にはステップＳ１０６に進み、受信電波強度値が所定強度値を下回った端末がある場合にはステップＳ１１１に進む。
【００３２】
ステップＳ１０６では、その基地局（ステップＳ１０３の条件を満たした基地局）に接続されている端末が他の基地局にハンドオーバする可能性があるか否かを端末電波状況情報に基づいて判断し、ハンドオーバする可能性がある場合にはステップＳ１０７に進み、ハンドオーバする可能性が無い場合にはステップＳ１０７をスキップして直ちにステップＳ１０８に進む。ハンドオーバする可能性があるか否かの判断については、例えばステップＳ１０４の条件を満たした基地局に接続されている端末からの受信電波強度値が、ハンドオーバ先の基地局として満たすべき条件として規定された強度値を超える基地局があるか否かによって判断される。なお、「ハンドオーバーする可能性がある状態」とは、「端末が２つの基地局の電波を捕捉している状態（例えば後述する図４（ｂ）の状態２）のことをいう。
【００３３】
ステップＳ１０７では、ハンドオーバによってハンドオーバ先の基地局の接続端末数が平均接続端末数を超える可能性があるか否かを判断し、ハンドオーバ先の基地局の接続端末数が平均接続端末数を超える可能性がある場合にはステップＳ１１１に進み、ハンドオーバ先の基地局の接続端末数が平均接続端末数を超える可能性がない場合にはステップＳ１０８に進む。ステップＳ１０８に進む場合は、ステップＳ１０５で受信電波強度値が所定強度値を下回った端末が無いと判断し、かつ、ステップＳ１０６でその基地局（ステップＳ１０３の条件を満たした基地局）に接続されている端末が他の基地局にハンドオーバする可能性があると判断し、かつ、ステップＳ１０７でハンドオーバによってハンドオーバ先の基地局の接続端末数が平均接続端末数を超える可能性が無いと判断した場合、および、ステップＳ１０５で受信電波強度値が所定強度値を下回った端末が無いと判断し、かつ、ステップＳ１０６でその基地局（ステップＳ１０３の条件を満たした基地局）に接続されている端末が他の基地局にハンドオーバする可能性が無いと判断した場合であるため、ステップＳ１０８では、ステップＳ１０３の条件を満たした基地局およびそれに隣接するステップＳ１０４の条件を満たした基地局の送信出力を関連させて変化させても接続が切断されるおそれのある端末が無いと見なして、その基地局（ステップＳ１０３の条件を満たした基地局）の送信出力を下げさせるとともに、隣接する基地局（ステップＳ１０４の条件を満たした基地局）の送信出力を上げさせる。その際に送信電力を下げる値または送信電力を上げる値は、所定の出力レベルを用いるものとする。
【００３４】
次のステップＳ１０９では、ステップＳ１０８において実施した基地局の送信出力の下げ動作および隣接する基地局の送信出力の上げ動作の結果、その基地局（ステップＳ１０３の条件を満たした基地局）の接続端末数が平均接続端末数以下になったか否かを判定し、平均接続端末数以下になった場合にはステップＳ１０１に戻り、平均接続端末数以下にならなかった場合には、ステップＳ１１０で基地局（ステップＳ１０３の条件を満たした基地局およびステップＳ１０４の条件を満たした基地局）のそれぞれの接続端末数情報および端末電波状況情報を取得した後に、ステップＳ１０５に戻る。
【００３５】
ステップＳ１１１に進む場合は、ステップＳ１０３で接続端末数が平均接続端末数を超える基地局が無いと判断した場合、ステップＳ１０４でその基地局に隣接し接続端末数が平均接続端末数を下回る基地局が無いと判断した場合、ステップＳ１０５で受信電波強度値が所定強度値を下回った端末があると判断した場合およびステップＳ１０７でハンドオーバによってハンドオーバ先の基地局の接続端末数が平均接続端末数を超える可能性があると判断した場合である。ステップＳ１１１では、予め設定してある規定の送信出力ではない基地局があるか否かを判断し、規定の送信出力ではない基地局がある場合にはステップＳ１１２に進み、規定の送信出力ではない基地局が無い場合にはステップＳ１０１に戻る。ステップＳ１１２では、取得した端末電波状況情報に基づいて、ステップＳ１１１の条件に該当する基地局または当該基地局に隣接する基地局であって、送信出力を下げられる基地局に接続されている端末の受信電波強度値が規定の強度値を下回ったか否かを判断し、受信電波強度値が規定の強度値を下回った端末が無い場合にはステップＳ１１３に進み、受信電波強度値が規定の強度値を下回った端末がある場合にはステップＳ１０１に戻る。ステップＳ１１３では、ステップＳ１１０の条件に該当する基地局の送信出力を規定の送信出力にするために、当該基地局の送信出力を上げる（下げる）とともに当該基地局に隣接する基地局の送信出力を下げる（上げる）。その際に送信電力を上げる値または送信電力を下げる値は、所定の出力レベルを用いるものとする。次のステップＳ１１４では、制御対象とする複数の基地局のそれぞれの接続端末数情報および端末電波状況情報を取得し、その後、ステップＳ１１０に戻る。
【００３６】
次に、図３の送信出力制御１の作用を図４（ａ）〜（ｃ），図５（ａ），（ｂ），図６（ａ）〜（ｄ）および図７（ａ），（ｂ）に基づいて説明する。
【００３７】
［平均化成功例１］
図４（ａ）に示す状態１は、制御対象とする基地局が２局の場合における図３の送信出力制御１の開始時のイメージを示す図である。状態１においては、基地局２００−１には２台の端末３００ａ，３００ｂが接続されており、基地局２００−２の電波エリアは、基地局２００−１の電波エリアに隣接しており、基地局２００−２には端末は接続されていない。この場合の平均接続端末数は、２つの基地局に合計２台の端末が接続されているので、２／２＝１となる。
本発明では、状態１において、接続端末数が平均接続端末数を超えている基地局２００−１に接続されている端末を、接続端末数が平均接続端末数を下回る、隣接する基地局２００−２にハンドオーバさせることを目的とする。
【００３８】
図４（ｂ）に示す状態２は、送信出力制御１の中間過程のイメージを示す図である。状態１において、図３のステップＳ１０３のＹＥＳ−ステップＳ１０４のＹＥＳ−ステップＳ１０５のＮＯ−ステップＳ１０６のＮＯ−ステップＳ１０８−ステップＳ１０９のＮＯ−ステップＳ１１０−ステップＳ１０５のＮＯ−ステップＳ１０６のループを実行することにより、接続端末数が平均接続端末数を超えている基地局２００−１の送信出力を下げるとともに接続端末数が平均接続端末数を下回る、隣接する基地局２００−２の送信出力を上げる。これにより、基地局２００−１の電波エリアが縮小されるとともに基地局２００−２の電波エリアが拡大される結果、端末３００ｂは基地局２００−１の電波エリアおよび基地局２００−２の電波エリアの双方に属すことになる。
【００３９】
なお、状態１において、基地局２００−１に接続されている端末から取得された受信電波強度値が当該基地局に対応する所定強度値を下回った場合には、図３のステップＳ１０３のＹＥＳ−ステップＳ１０４のＹＥＳ−ステップＳ１０５のＹＥＳ−ステップＳ１１１を実行することにより、基地局２００−１の送信出力を下げないように制御するものとする。
【００４０】
図４（ｃ）に示す状態３は、送信出力制御１が目的とする状態のイメージを示す図である。状態２において、図３のステップＳ１０３のＹＥＳ−ステップＳ１０４のＹＥＳ−ステップＳ１０５のＮＯ−ステップＳ１０６のＹＥＳ−ステップＳ１０７のＮＯ−ステップＳ１０８−ステップＳ１０９のＮＯ−ステップＳ１１０−ステップＳ１０５のＮＯ−ステップＳ１０６ののＹＥＳ−ステップＳ１０７のＮＯ−ステップＳ１０８のループを、ステップＳ１０９がＹＥＳになるまで（言い換えれば、基地局２００−１の接続端末数が平均接続端末数以下になるまで）繰り返し実行することにより、接続端末数が平均接続端末数を超えている基地局２００−１の送信出力をさらに下げるとともに接続端末数が平均接続端末数を下回る、隣接する基地局２００−２の送信出力をさらに上げる。これにより、基地局２００−１の電波エリアがさらに縮小されるとともに基地局２００−２の電波エリアがさらに拡大される結果、端末３００ｂは基地局２００−２の電波エリアのみに属すことになり、端末３００ｂは、所望の通り、接続端末数が平均接続端末数を超えている基地局２００−１から接続端末数が平均接続端末数を下回る基地局２００−２にハンドオーバすることになる。この状態３は、基地局２００−１の接続端末数は１であり、基地局２００−２の接続端末数は１であるため、接続端末数が最も平均化された状態である。
【００４１】
［平均化成功例２］
図５（ａ）に示す状態１は、制御対象とする基地局が３局の場合における図３の送信出力制御１の開始時のイメージを示す図である。状態１においては、基地局２００−１には１台の端末３００ａが接続されており、基地局２００−２には４台の端末３００ｂ，３００ｃ，３００ｄ，３００ｅが接続されており、基地局２００−２の電波エリアは、基地局２００−１の電波エリアおよび基地局２００−３の電波エリアに隣接しており、基地局２００−３には端末は接続されていない。この場合の平均接続端末数は、３つの基地局に合計５台の端末が接続されているので、５／３＝１．６７であり、この場合、１．６７に最も近い整数である２となる。
本発明では、状態１において、接続端末数が平均接続端末数を超えている基地局２００−２に接続されている端末を、接続端末数が平均接続端末数を下回る、隣接する基地局２００−１および基地局２００−３にハンドオーバさせることを目的とする。
【００４２】
図５（ｂ）に示す状態２は、送信出力制御１が目的とする状態のイメージを示す図である。状態１において、図３のステップＳ１０３のＹＥＳ−ステップＳ１０４のＹＥＳ−ステップＳ１０５のＮＯ−ステップＳ１０６のＮＯ−ステップＳ１０８−ステップＳ１０９のＮＯ−ステップＳ１１０−ステップＳ１０５のＮＯのループを、端末３００ｂが基地局２００−１の電波エリアおよび基地局２００−２の電波エリアの双方に属し、または、端末３００ｅが基地局２００−２の電波エリアおよび基地局２００−３の電波エリアの双方に属し、ステップＳ１０６がＹＥＳになるまで、ステップＳ１０６がＹＥＳになった後は、図３のステップＳ１０６のＹＥＳ−ステップＳ１０７のＮＯ−ステップＳ１０８−ステップＳ１０９のＮＯ−ステップＳ１１０−ステップＳ１０５のＮＯ−ステップＳ１０６のＹＥＳ−ステップＳ１０７のＮＯ−ステップＳ１０８のループを、ステップＳ１０９がＹＥＳになるまで（言い換えれば、基地局２００−２の接続端末数が平均接続端末数以下になるまで）繰り返し実行することにより、接続端末数が平均接続端末数を超えている基地局２００−２の送信出力を下げるとともに接続端末数が平均接続端末数を下回る、隣接する基地局２００−１および基地局２００−３の送信出力を上げる。これにより、基地局２００−２の電波エリアが縮小されるとともに基地局２００−１および基地局２００−３の電波エリアが拡大される結果、端末３００ｂは基地局２００−１の電波エリアに属すことになるとともに端末３００ｅは基地局２００−３の電波エリアに属すことになり、端末３００ｂおよび端末３００ｅはそれぞれ、所望の通り、接続端末数が平均接続端末数を超えている基地局２００−２から接続端末数が平均接続端末数を下回る基地局２００−１，基地局２００−３にハンドオーバすることになる。この状態２は、基地局２００−１の接続端末数は２であり、基地局２００−２の接続端末数は２であり、基地局２００−３の接続端末数は１であるため、接続端末数が最も平均化された状態である。
【００４３】
［平均化成功例３］
図６（ａ）に示す状態１は、制御対象とする基地局が４局の場合における図３の送信出力制御１の開始時のイメージを示す図である。状態１においては、基地局２００−２には５台の端末３００ａ，３００ｂ，３００ｃ，３００ｄ，３００ｅが接続されており、基地局２００−３には５台の端末３００ｆ，３００ｇ，３００ｈ，３００ｉ，３００ｊが接続されており、基地局２００−１の電波エリアは、基地局２００−２の電波エリアおよび基地局２００−３の電波エリアに隣接しており、基地局２００−４の電波エリアは、基地局２００−２の電波エリアおよび基地局２００−３の電波エリアに隣接しており、基地局２００−１および基地局２００−４には端末は接続されていない。この場合の平均接続端末数は、４つの基地局に合計１０台の端末が接続されているので、１０／４＝２．５であり、この場合、２．５に最も近い整数である２または３となる。
本発明では、状態１において、接続端末数が平均接続端末数を超えている基地局２００−２および基地局２００−３に接続されている端末を、接続端末数が平均接続端末数を下回る、隣接する基地局２００−１および基地局２００−４にハンドオーバさせることを目的とする。
【００４４】
図６（ｂ）に示す状態２は、送信出力制御１の中間過程１のイメージを示す図である。状態１において、図３のステップＳ１０３のＹＥＳ−ステップＳ１０４のＹＥＳ−ステップＳ１０５のＮＯ−ステップＳ１０６のＮＯ−ステップＳ１０８−ステップＳ１０９のＮＯ−ステップＳ１１０−ステップＳ１０５のＮＯのループを、端末３００ｊが基地局２００−３の電波エリアおよび基地局２００−４の電波エリアの双方に属し、ステップＳ１０６がＹＥＳになるまで、ステップＳ１０６がＹＥＳになった後は、図３のステップＳ１０６のＹＥＳ−ステップＳ１０７のＮＯ−ステップＳ１０８−ステップＳ１０９のＮＯ−ステップＳ１１０−ステップＳ１０５のＮＯ−ステップＳ１０６のＹＥＳ−ステップＳ１０７のＮＯ−ステップＳ１０８のループを、ステップＳ１０９がＹＥＳになるまで繰り返し実行することにより、接続端末数が平均接続端末数を超えている基地局２００−２および基地局２００−３の送信出力を下げるとともに接続端末数が平均接続端末数を下回る、隣接する基地局２００−１および基地局２００−４の送信出力を上げる。これにより、基地局２００−２および基地局２００−３の電波エリアが縮小されるとともに基地局２００−１および基地局２００−４の電波エリアが拡大される結果、端末３００ｊは接続端末数が平均接続端末数を超えている基地局２００−３から接続端末数が平均接続端末数を下回る基地局２００−４にハンドオーバすることになる。
【００４５】
図６（ｃ）に示す状態３は、送信出力制御１の中間過程２のイメージを示す図である。状態２において、図３のステップＳ１０３のＹＥＳ−ステップＳ１０４のＹＥＳ−ステップＳ１０５のＮＯ−ステップＳ１０６のＮＯ−ステップＳ１０８−ステップＳ１０９のＮＯ−ステップＳ１１０−ステップＳ１０５のＮＯのループを、端末３００ｄが基地局２００−１の電波エリアおよび基地局２００−２の電波エリアの双方に属し、または、端末３００ｅが基地局２００−１の電波エリアおよび基地局２００−２の電波エリアの双方に属し、ステップＳ１０６がＹＥＳになるまで、ステップＳ１０６がＹＥＳになった後は、図３のステップＳ１０６のＹＥＳ−ステップＳ１０７のＮＯ−ステップＳ１０８−ステップＳ１０９のＮＯ−ステップＳ１１０−ステップＳ１０５のＮＯ−ステップＳ１０６のＹＥＳ−ステップＳ１０７のＮＯ−ステップＳ１０８のループを、ステップＳ１０９がＹＥＳになるまで繰り返し実行することにより、接続端末数が平均接続端末数を超えている基地局２００−２および基地局２００−３の送信出力をさらに下げるとともに接続端末数が平均接続端末数を下回る、隣接する基地局２００−１および基地局２００−４の送信出力をさらに上げる。これにより、基地局２００−２および基地局２００−３の電波エリアがさらに縮小されるとともに基地局２００−１および基地局２００−４の電波エリアがさらに拡大される結果、端末３００ｄおよび端末３００ｆはそれぞれ接続端末数が平均接続端末数を超えている基地局２００−２および基地局２００−３から接続端末数が平均接続端末数を下回る基地局２００−１にハンドオーバすることになる。
【００４６】
図６（ｄ）に示す状態４は、送信出力制御１が目的とする状態のイメージを示す図である。状態３において、図３のステップＳ１０３のＹＥＳ−ステップＳ１０４のＹＥＳ−ステップＳ１０５のＮＯ−ステップＳ１０６のＮＯ−ステップＳ１０８−ステップＳ１０９のＮＯ−ステップＳ１１０−ステップＳ１０５のＮＯのループを、端末３００ｅが基地局２００−２の電波エリアおよび基地局２００−４の電波エリアの双方に属し、ステップＳ１０６がＹＥＳになるまで、ステップＳ１０６がＹＥＳになった後は、図３のステップＳ１０６のＹＥＳ−ステップＳ１０７のＮＯ−ステップＳ１０８−ステップＳ１０９のＮＯ−ステップＳ１１０−ステップＳ１０５のＮＯ−ステップＳ１０６のＹＥＳ−ステップＳ１０７のＮＯ−ステップＳ１０８のループを、ステップＳ１０９がＹＥＳになるまで（言い換えれば、基地局２００−２および基地局２００−３の接続端末数が平均接続端末数以下になるまで）繰り返し実行することにより、接続端末数が平均接続端末数を超えている基地局２００−２および基地局２００−３の送信出力を下げるとともに接続端末数が平均接続端末数を下回る、隣接する基地局２００−１および基地局２００−４の送信出力を上げる。これにより、基地局２００−２および基地局２００−３の電波エリアが縮小されるとともに基地局２００−１および基地局２００−４の電波エリアが拡大される結果、端末３００ｅは接続端末数が平均接続端末数を超えている基地局２００−２から接続端末数が平均接続端末数を下回る基地局２００−４にハンドオーバすることになる。この状態４は、基地局２００−１の接続端末数は２であり、基地局２００−２の接続端末数は３であり、基地局２００−３の接続端末数は３であり、基地局２００−４の接続端末数は２であるため、接続端末数が最も平均化された状態である。
【００４７】
［平均化断念例１］
図７（ａ）に示す状態１は、制御対象とする基地局が３局の場合における図３の送信出力制御１の開始時のイメージを示す図である。状態１においては、基地局２００−２には３台の端末３００ｂ，３００ｃ，３００ｄが接続されており、基地局２００−２の電波エリアは、基地局２００−１の電波エリアおよび基地局２００−３の電波エリアに隣接しており、基地局２００−１および基地局２００−３には端末は接続されていない。この場合の平均接続端末数は、３つの基地局に合計３台の端末が接続されているので、３／３＝１である。
本発明では、状態１において、接続端末数が平均接続端末数を超えている基地局２００−２に接続されている端末を、接続端末数が平均接続端末数を下回る、隣接する基地局２００−１および基地局２００−３にハンドオーバさせることを目的とする。
【００４８】
図７（ｂ）に示す状態２は、送信出力制御１の中間過程のイメージを示す図である。状態１において、図３のステップＳ１０３のＹＥＳ−ステップＳ１０４のＹＥＳ−ステップＳ１０５のＮＯ−ステップＳ１０６のＮＯ−ステップＳ１０８−ステップＳ１０９のＮＯ−ステップＳ１１０−ステップＳ１０５のＮＯのループを、端末３００ｂが基地局２００−１の電波エリアおよび基地局２００−２の電波エリアの双方に属し、または、端末３００ｄが基地局２００−２の電波エリアおよび基地局２００−３の電波エリアの双方に属し、ステップＳ１０６がＹＥＳになるまで、ステップＳ１０６がＹＥＳになった後は、図３のステップＳ１０６のＹＥＳ−ステップＳ１０７のＮＯ−ステップＳ１０８−ステップＳ１０９のＮＯ−ステップＳ１１０−ステップＳ１０５のＮＯ−ステップＳ１０６のＹＥＳ−ステップＳ１０７のＮＯ−ステップＳ１０８のループを、ステップＳ１０９がＹＥＳになるまで（言い換えれば、基地局２００−２の接続端末数が平均接続端末数以下になるまで）繰り返し実行することにより、接続端末数が平均接続端末数を超えている基地局２００−２の送信出力を下げるとともに接続端末数が平均接続端末数を下回る、隣接する基地局２００−１および基地局２００−３の送信出力を上げる。これにより、基地局２００−２の電波エリアが縮小されるとともに基地局２００−１および基地局２００−３の電波エリアが拡大される結果、端末３００ｂは接続端末数が平均接続端末数を超えている基地局２００−２から接続端末数が平均接続端末数を下回る基地局２００−１にハンドオーバすることになる。さらに、基地局２００−２の送信出力をさらに下げるとともに隣接する基地局２００−３の送信出力をさらに上げて端末３００ｄを基地局２００−２から基地局２００−３にハンドオーバさせようとすると、基地局２００−２に接続されていた端末３００ｃが切断される可能性があるため、それぞれの基地局の送信出力は変化させない。この制御には、図３のステップＳ１０３のＹＥＳ−ステップＳ１０４のＹＥＳ−ステップＳ１０５のＹＥＳ−ステップＳ１１１のＹＥＳ−ステップＳ１０１−ステップＳ１０２−ステップＳ１０３のループが対応する。
【００４９】
なお、図３の送信出力制御１において、「接続端末数」を「接続端末比率（接続端末比率は基地局の最大接続端末数に対する接続端末数の比率である）」に読み替え、「平均接続端末数」を「平均接続端末比率（平均接続端末比率は前記接続端末比率および制御部によって制御される基地局の数に基づいて算出される１基地局あたりの平均接続端末比率である）」に読み替えることにより、図３の送信出力制御１と同様の送信出力制御を行うことができ、その送信出力制御の作用は図３の送信出力制御１と同様になる。
【００５０】
本発明の送信出力制御装置１００によれば、 図３の送信出力制御１を行うことにより、接続端末数が平均接続数を超えている基地局に接続されている端末を接続端末数が平均接続端末数を下回る隣接する基地局にハンドオーバさせるために、接続端末数が平均接続端末数を超えている基地局の接続端末数が平均接続端末数を下回るまで、接続端末数が平均接続端末数を超えている基地局の基地局の送信出力を下げさせるとともに、その基地局に隣接し接続端末数が平均接続端末数を下回る基地局の送信出力を上げさせる。これにより、接続端末数が平均接続端末数を超えている基地局に接続されている端末がハンドオーバできずに接続が切断されることを防止し、隣接する基地局の電波状況の悪化や接続端末数が平均接続端末数を超えることを防止するとともに、接続端末数が平均接続端末数を超えている基地局の接続端末数を平均接続端末数以下にすることができ、基地局の電波エリア内にある端末が当該基地局と通信不可能になる状況を回避することができる。
【００５１】
［基地局の送信出力制御２］
図８は本発明の送信出力制御装置１００において実行する基地局の送信出力制御２を示すフローチャートである。なお、以下においては、送信出力制御装置１００の制御対象となる複数の基地局が少なくとも２つの基地局であるものとして説明を展開する。
【００５２】
まず、図８のステップＳ２０１では、制御対象とする複数の基地局のそれぞれからトラフィック値を示すトラフィック情報を取得する。次のステップＳ２０２では、制御対象とする複数の基地局のそれぞれの端末電波状況情報を取得し、その端末電波状況情報から各基地局に接続されている端末の受信電波強度値を取得する。次のステップＳ２０３では、制御対象とする複数の基地局のそれぞれの基地局仕様情報を取得し、取得した基地局仕様情報に基づく制御部１８０によって制御される基地局の数とステップＳ２０１で取得したトラフィック値とに基づいて１基地局あたりの平均トラフィック値を算出する。次のステップＳ２０４では、トラフィック値が平均トラフィック値を超える基地局があるか否かを判断し、ある場合にはステップＳ２０５に進み、無い場合にはステップＳ２１２に進む。
【００５３】
ステップＳ２０５では、その基地局（ステップＳ１０４の条件を満たした基地局；平均トラフィック値を超える基地局）に隣接し、トラフィック値が平均トラフィック値を下回る基地局があるか否かを判断し、ある場合にはステップＳ２０６に進み、無い場合にはステップＳ２１２に進む。ステップＳ２０６では、取得した端末電波状況情報に基づいて、その基地局（ステップＳ２０４の条件を満たした基地局）に接続されている端末の受信電波強度値が当該基地局に対応する所定強度値を下回ったか否かを判断し、受信電波強度値が所定強度値を下回った端末が無い場合にはステップＳ２０７に進み、受信電波強度値が所定強度値を下回った端末がある場合にはステップＳ２１２に進む。
【００５４】
ステップＳ２０７では、その基地局（ステップＳ２０４の条件を満たした基地局）に接続されている端末が他の基地局にハンドオーバする可能性があるか否かを端末電波状況情報に基づいて判断し、ハンドオーバする可能性がある場合にはステップＳ２０８に進み、ハンドオーバする可能性が無い場合にはステップＳ２０８をスキップして直ちにステップＳ２０９に進む。ハンドオーバする可能性があるか否かの判断については、例えばステップＳ２０５の条件を満たした基地局に接続されている端末からの受信電波強度値が、ハンドオーバ先の基地局として満たすべき条件として規定された強度値を超える基地局があるか否かによって判断される。なお、「ハンドオーバーする可能性がある状態」とは、「端末が２つの基地局の電波を捕捉している状態（例えば前述した図４（ｂ）の状態２）のことをいう。
【００５５】
ステップＳ２０８では、ハンドオーバによってハンドオーバ先の基地局のトラフィック値が平均トラフィック値を超える可能性があるか否かを判断し、ハンドオーバ先の基地局のトラフィック値が平均トラフィック値を超える可能性がある場合にはステップＳ２１２に進み、ハンドオーバ先の基地局のトラフィック値が平均トラフィック値を超える可能性がない場合にはステップＳ２０９に進む。ステップＳ２０９に進む場合は、ステップＳ２０６で受信電波強度値が所定強度値を下回った端末が無いと判断し、かつ、ステップＳ２０７でその基地局（ステップＳ２０４の条件を満たした基地局）に接続されている端末が他の基地局にハンドオーバする可能性があると判断し、かつ、ステップＳ２０８でハンドオーバによってハンドオーバ先の基地局の接続端末数が平均接続端末数を超える可能性が無いと判断した場合、および、ステップＳ２０６で受信電波強度値が所定強度値を下回った端末が無いと判断し、かつ、ステップＳ２０７でその基地局（ステップＳ１０３の条件を満たした基地局）に接続されている端末が他の基地局にハンドオーバする可能性が無いと判断した場合であるため、ステップＳ２０９では、ステップＳ２０４の条件を満たした基地局およびそれに隣接するステップＳ２０５の条件を満たした基地局の送信出力を関連させて変化させても接続が切断されるおそれのある端末が無いと見なして、その基地局（ステップＳ２０４の条件を満たした基地局）の送信出力を下げさせるとともに、隣接する基地局（ステップＳ２０５の条件を満たした基地局）の送信出力を上げさせる。その際に送信電力を下げる値または送信電力を上げる値は、所定の出力レベルを用いるものとする。
【００５６】
次のステップＳ２１０では、ステップＳ２０９において実施した基地局の送信出力の下げ動作および隣接する基地局の送信出力の上げ動作の結果、その基地局（ステップＳ２０４の条件を満たした基地局）のトラフィック値が平均トラフィック値以下になったか否かを判定し、平均トラフィック値以下になった場合にはステップＳ２０１に戻り、平均トラフィック値以下にならなかった場合には、ステップＳ２１１で基地局（ステップＳ２０４の条件を満たした基地局およびステップＳ２０５の条件を満たした基地局）のそれぞれのトラフィック情報および端末電波状況情報を取得した後に、ステップＳ２０６に戻る。
【００５７】
ステップＳ２１２に進む場合は、ステップＳ２０４でトラフィック値が平均トラフィック値を超える基地局が無いと判断した場合、ステップＳ２０５でその基地局に隣接しトラフィック値が平均トラフィック値を下回る基地局が無いと判断した場合、ステップＳ２０６で受信電波強度値が所定強度値を下回った端末があると判断した場合およびステップＳ２０８でハンドオーバによってハンドオーバ先の基地局のトラフィック値が平均トラフィック値を超える可能性があると判断した場合である。ステップＳ２１２では、予め設定してある規定の送信出力ではない基地局があるか否かを判断し、規定の送信出力ではない基地局がある場合にはステップＳ２１３に進み、規定の送信出力ではない基地局が無い場合にはステップＳ２０１に戻る。ステップＳ２１３では、取得した端末電波状況情報に基づいて、ステップＳ２１２の条件に該当する基地局または当該基地局に隣接する基地局であって、送信出力を下げられる基地局に接続されている端末の受信電波強度値が規定の強度値を下回ったか否かを判断し、受信電波強度値が規定の強度値を下回った端末が無い場合にはステップＳ２１４に進み、受信電波強度値が規定の強度値を下回った端末がある場合にはステップＳ２０１に戻る。ステップＳ２１４では、ステップＳ２１２の条件に該当する基地局の送信出力を規定の送信出力にするために、当該基地局の送信出力を上げる（下げる）とともに当該基地局に隣接する基地局の送信出力を下げる（上げる）。その際に送信電力を上げる値または送信電力を下げる値は、所定の出力レベルを用いるものとする。次のステップＳ２１５では、制御対象とする複数の基地局のそれぞれのトラフィック情報および端末電波状況情報を取得し、その後、ステップＳ２１２に戻る。
【００５８】
図８の送信出力制御２の作用は、図３の送信出力制御１における「接続端末数が平均接続端末数を超える基地局」を「トラフィック値が平均トラフィック値を超える基地局」に、「その基地局に隣接し、接続端末数が平均接続端末数を下回る基地局」を「その基地局に隣接し、トラフィック値が平均トラフィック値を下回る基地局」に、「ハンドオーバによってハンドオーバ先の基地局の接続端末数が平均接続端末数を超える可能性がある」を「ハンドオーバによってハンドオーバ先の基地局のトラフィック値が平均トラフィック値を超える可能性がある」に、「その基地局の接続端末数が平均接続端末数以下になった」を「その基地局のトラフィック値が平均トラフィック値以下になった」に、それぞれ読み替えることにより、図４（ａ）〜（ｃ），図５（ａ），（ｂ），図６（ａ）〜（ｄ）および図７（ａ），（ｂ）に基づいて説明することができ、図３の送信出力制御１の作用とほぼ同様になる。
【００５９】
なお、図８の送信出力制御２において、「トラフィック値」を「トラフィック比率（トラフィック比率は基地局のそれぞれに対応する最大トラフィック値に対するトラフィック値の比率である）」に読み替え、「平均トラフィック値」を「平均トラフィック比率（平均トラフィック比率は前記トラフィック比率および制御部によって制御される基地局の数に基づいて算出される１基地局あたりの平均トラフィック比率である）」に読み替えることにより、図８の送信出力制御２と同様の送信出力制御を行うことができ、その送信出力制御の作用は図８の送信出力制御２と同様になる。
【００６０】
本発明の送信出力制御装置１００によれば、 図８の送信出力制御２を行うことにより、トラフィック値が平均トラフィック値を超える基地局に接続されている端末をトラフィック値が平均トラフィック値を下回る隣接する基地局にハンドオーバさせるために、トラフィック値が平均トラフィック値を超えている基地局のトラフィック値が平均トラフィック値を下回るまで、トラフィック値が平均トラフィック値を超えている基地局の基地局の送信出力を下げさせるとともに、その基地局に隣接しトラフィック値が平均トラフィック値を下回る基地局の送信出力を上げさせる。これにより、トラフィック値が平均トラフィック値を超えている基地局に接続されている端末がハンドオーバできずに接続が切断されることを防止し、隣接する基地局の電波状況の悪化やトラフィック値が平均トラフィック値を超えることを防止するとともに、トラフィック値が平均トラフィック値を超えている基地局のトラフィック値を平均トラフィック値以下にすることができ、基地局の電波エリア内にある端末が当該基地局と通信不可能になる状況を回避することができる。
【００６１】
なお、本発明の送信出力制御装置１００において、取得部１２０が取得して記憶部に記憶する情報として、端末の位置情報や、基地局の位置情報を用いてもよい。
また、本発明では、送信出力制御装置によって図３の送信出力制御１および図８の送信出力制御２を行うことにより基地局およびその基地局に隣接する基地局の送信出力を連動させて制御するようにしているが、ＯＡＭサーバ（Optimized Adaptive Modulation Server）によって図３の送信出力制御１および図８の送信出力制御２を行うことにより基地局およびその基地局に隣接する基地局の送信出力を連動させて制御するようにしてもよい。
【図面の簡単な説明】
【００６２】
【図１】本発明の一実施形態に係る送信出力制御装置を含む通信システムの全体構成を示す図である。
【図２】本発明の送信出力制御装置の内部構成を示すブロック図である。
【図３】本発明の送信出力制御装置において実行する基地局の送信出力制御１を示すフローチャートである。
【図４】（ａ）〜（ｃ）は本発明の送信出力制御装置において実行する送信出力制御１および送信出力制御２の作用を説明するための図である。
【図５】（ａ），（ｂ）は本発明の送信出力制御装置において実行する送信出力制御１および送信出力制御２の作用を説明するための図である。
【図６】（ａ）〜（ｄ）は本発明の送信出力制御装置において実行する送信出力制御１および送信出力制御２の作用を説明するための図である。
【図７】（ａ），（ｂ）は本発明の送信出力制御装置において実行する送信出力制御１および送信出力制御２の作用を説明するための図である。
【図８】本発明の送信出力制御装置おいて実行する基地局の送信出力制御２を示すフローチャートである。
【符号の説明】
【００６３】
１００  送信出力制御装置
１１０  制御部
１２０  取得部
１３０  記憶部
１４０  通信部
２００，２００−１，２００−２、２００−３，２００−４  基地局
３００ａ，３００ｂ，３００ｃ，３００ｄ，３００ｅ，３００ｆ，３００ｇ，３００ｈ，３００ｉ，３００ｊ  無線通信端末（端末）
４００  インターネット
５００  携帯電話用ゲートウェイ
６００  携帯電話用サーバ６００
【図１】
2010130222.tif 000003
【図２】
2010130222.tif 000004
【図３】
2010130222.tif 000005
【図４】
2010130222.tif 000006
【図５】
2010130222.tif 000007
【図６】
2010130222.tif 000008
【図７】
2010130222.tif 000009
【図８】
2010130222.tif 000010